(57)【要約】【課題】汚泥の蓄積を抑制するための清掃作業の手間を抑制することができる汚泥排出機構を提供すること。【解決手段】汚泥排出機構１は、汚泥生成ユニット２から汚泥回収ユニット３まで汚泥１００を運搬する。汚泥排出機構１は、汚泥生成ユニット２と汚泥回収ユニット３とを接続するパイプ４と、パイプ４内に設置され表面５３に複数の切れ目５４が形成された管５と、管５に流体を供給する流体供給源６と、を備える。切れ目５４は、流体３００が汚泥生成ユニット２から汚泥回収ユニット３に向かう方向に噴出されるような形に形成されている。【選択図】図１
2019130443.tif 000002
【特許請求の範囲】
【請求項１】
汚泥生成ユニットから汚泥回収ユニットまで汚泥を運搬する汚泥排出機構であって、
該汚泥生成ユニットと該汚泥回収ユニットとを接続するパイプと、
該パイプ内に設置され表面に複数の切れ目が形成された管と、
該管に流体を供給する流体供給源と、を備える
ことを特徴とする汚泥排出機構。
【請求項２】
該切れ目は、
該流体が該汚泥生成ユニットから該汚泥回収ユニットに向かう方向に噴出されるような形に形成されていることを特徴とする請求項１に記載の汚泥排出機構。
【請求項３】
該流体は、空気と水の少なくともいずれか一つを含むことを特徴とする、
請求項１又は請求項２に記載の汚泥排出機構。
【発明の詳細な説明】
【技術分野】
【０００１】
本発明は、汚泥排出機構に関する。
【背景技術】
【０００２】
汚泥生成ユニットが生成した汚泥の混入した廃水を回収するために、従来から種々の回収タンクが用いられている（例えば、特許文献１参照）。
【先行技術文献】
【特許文献】
【０００３】
【特許文献１】特開平１０−８８５４１号公報
【発明の概要】
【発明が解決しようとする課題】
【０００４】
前述した回収タンクに汚泥の混入した廃水を供給する排出機構は、汚泥生成ユニットから回収タンクに向かうにしたがって徐々に下方に向かうように勾配がつけられたパイプを備える。しかしながら、排出機構は、回収する汚泥の粘度が高いと、パイプに勾配をつけていてもパイプ内に汚泥が蓄積してしまい、パイプを解体して清掃するなど清掃作業の手間を要した。また、排出機構は、廃水とは別に、パイプ内に水を流して汚泥を排出する方法もあるが、水のコストがかかる。
【０００５】
本発明は、かかる問題点に鑑みてなされたものであり、その目的は、汚泥の蓄積を抑制するための清掃作業の手間を抑制することができる汚泥排出機構を提供することである。
【課題を解決するための手段】
【０００６】
上述した課題を解決し、目的を達成するために、本発明の汚泥排出機構は、汚泥生成ユニットから汚泥回収ユニットまで汚泥を運搬する汚泥排出機構であって、該汚泥生成ユニットと該汚泥回収ユニットとを接続するパイプと、該パイプ内に設置され表面に複数の切れ目が形成された管と、該管に流体を供給する流体供給源と、を備えることを特徴とする。
【０００７】
前記汚泥排出機構において、該切れ目は、該流体が該汚泥生成ユニットから該汚泥回収ユニットに向かう方向に噴出されるような形に形成されても良い。
【０００８】
前記汚泥排出機構において、該流体は、空気と水の少なくともいずれか一つを含んでも良い。
【発明の効果】
【０００９】
本願発明は、汚泥の蓄積を抑制するための清掃作業の手間を抑制することができるという効果を奏する。
【図面の簡単な説明】
【００１０】
【図１】図１は、実施形態１に係る汚泥排出機構の構成例を説明する図である。
【図２】図２は、実施形態１に係る汚泥排出機構により汚泥が運搬される汚泥生成ユニットの加工対象の切削ブレードの斜視図である。
【図３】図３は、図１に示された汚泥排出機構の管の斜視図である。
【図４】図４は、図３に示された管の平面図である。
【図５】図５は、図１に示された汚泥排出機構の汚泥の運搬動作を説明する断面図である。
【図６】図６は、図１に示された汚泥生成ユニットの変形例を示す斜視図である。
【図７】図７は、図１に示された汚泥生成ユニットの他の変形例を示す斜視図である。
【図８】図８は、図４に示された管の変形例の平面図である。
【図９】図９は、図４に示された管の他の変形例の平面図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態１〕
本発明の実施形態１に係る汚泥排出機構を図面に基づいて説明する。図１は、実施形態１に係る汚泥排出機構の構成例を説明する図である。図２は、実施形態１に係る汚泥排出機構により汚泥が運搬される汚泥生成ユニットの加工対象の切削ブレードの斜視図である。図３は、図１に示された汚泥排出機構の管の斜視図である。図４は、図３に示された管の平面図である。
【００１３】
実施形態１に係る図１に示す汚泥排出機構１は、汚泥生成ユニット２から汚泥回収ユニット３まで汚泥１００を運搬する機構である。実施形態１に係る汚泥排出機構１により汚泥１００が運搬される汚泥生成ユニット２は、図２に示す成形後の切削ブレード２００を複数枚重ねて、これら複数枚の切削ブレード２００の内外縁２０１，２０２を純水等の液体１０１を供給しながら切削して、内外縁２０１，２０２を同軸となる形状に形成する装置である。
【００１４】
切削ブレード２００は、ダイヤモンドやＣＢＮ（Cubic  Boron  Nitride）等の砥粒と、金属や樹脂等のボンド材（結合材）とからなり所定厚みの円環状に形成された切り刃２０３を備える。実施形態１において、切削ブレード２００は、図２に示すように、切り刃２０３のみで構成されたワッシャーブレードであるが、本発明では、金属（例えばアルミニウム合金）で形成された円環状の基台と、基台の外縁部に固定された切り刃とを備えた、いわゆるハブブレードでも良い。
【００１５】
実施形態１において、汚泥生成ユニット２は、汚泥１００として、切削ブレード２００の切り刃２０３の内外縁２０１，２０２を切削した際に生成される切削屑を生成する。実施形態１において、汚泥回収ユニット３は、汚泥１００と純水等の液体１０１を一旦貯留する容器等であるが、容器に限定されない。
【００１６】
汚泥排出機構１は、図１に示すように、パイプ４と、管５と、流体供給源６と、制御ユニット７とを備える。
【００１７】
パイプ４は、汚泥生成ユニット２と汚泥回収ユニット３とを接続するものであって、円筒状に形成されている。パイプ４は、汚泥生成ユニット２が生成した汚泥１００を液体１０１とともに汚泥回収ユニット３まで導く。実施形態１において、パイプ４は、汚泥生成ユニット２から汚泥回収ユニット３に向かうにしたがって徐々に下方に向かう方向に傾斜している。
【００１８】
管５は、パイプ４内に設置され、実施形態１では、パイプ４の汚泥回収ユニット３寄りの一端部５１から汚泥生成ユニット２寄りの他端部５２とに亘って、パイプ４内に設置されている。管５は、他端部５２側に流体供給源６から流体３００が供給される。実施形態１において、管５は、汚泥生成ユニット２から汚泥回収ユニット３に向かうにしたがって徐々に下方に向かう方向に傾斜している。また、実施形態１において、管５は、パイプ４の断面の中心に配置されているが、本発明では、管５のパイプ４に対する相対的な位置は、断面の中心に限定されずに、例えば、断面の下端側の位置などの適宜変更することができる。
【００１９】
管５は、図３及び図４に示すように、表面５３に複数の切れ目５４が形成されている。複数の切れ目５４は、管５の外壁を貫通し、かつ管５の長手方向に沿って間隔をあけて配置されている。切れ目５４は、流体供給源６から供給された流体３００を内側に通して、流体３００をパイプ４の内面４１に向かって噴射する。切れ目５４は、管５の幅方向の中央５５が管５の幅方向の両端部５６，５７よりも汚泥回収ユニット３寄りに配置されている。切れ目５４は、管５の幅方向の中央５５が管５の幅方向の両端部５６，５７よりも汚泥回収ユニット３寄りに配置されていることにより、流体３００を汚泥生成ユニット２から汚泥回収ユニット３に向かう方向に噴射する。このように、切れ目５４は、流体３００が汚泥生成ユニット２から汚泥回収ユニット３に向かう方向に噴射される形に形成されているとは、切れ目５４の管５の幅方向の中央５５が管５の幅方向の両端部５６，５７よりも汚泥回収ユニット３寄りに配置されていることである。
【００２０】
なお、実施形態１において、切れ目５４は、管５の平面視に含まれる位置に配置され、中央５５から両端部５６，５７に向かって管５の長手方向に対して傾斜する方向に直線状に形成されているが、本発明では、切れ目５４の配置、形状は、実施形態１に示すものに限定されない。
【００２１】
流体供給源６は、他端部５２側から管５に流体３００を供給する。実施形態１において、流体供給源６が供給する流体３００は、空気と水とを含んでいるが、本発明では、空気と水との少なくともいずれか一つを含んでいれば良い。
【００２２】
制御ユニット７は、汚泥排出機構１の上述した構成要素をそれぞれ制御して、汚泥１００の運搬動作を汚泥排出機構１に実施させるものである。なお、制御ユニット７は、コンピュータである。制御ユニット７は、ＣＰＵ（central  processing  unit）のようなマイクロプロセッサを有する演算処理装置と、ＲＯＭ（read  only  memory）又はＲＡＭ（random  access  memory）のようなメモリを有する記憶装置と、入出力インターフェース装置とを有する。制御ユニット７の演算処理装置は、記憶装置に記憶されているコンピュータプログラムに従って演算処理を実施して、汚泥排出機構１を制御するための制御信号を、入出力インターフェース装置を介して汚泥排出機構１の上述した構成要素に出力する。また、制御ユニット７は、加工動作の状態や画像などを表示する液晶表示装置などにより構成される図示しない表示ユニット及びオペレータが加工内容情報などを登録する際に用いる図示しない入力ユニットと接続されている。入力ユニットは、表示ユニットに設けられたタッチパネルと、キーボード等の外部入力装置とのうち少なくとも一つにより構成される。
【００２３】
次に、汚泥排出機構１の汚泥１００の運搬動作を図５に基づいて説明する。図５は、図１に示された汚泥排出機構の汚泥の運搬動作を説明する断面図である。
【００２４】
実施形態１に係る汚泥排出機構１は、汚泥生成ユニット２が生成した汚泥１００を液体１０１とともにパイプ４内を通して汚泥回収ユニット３まで運搬する。すると、汚泥排出機構１は、図５に示すように、パイプ４の内面４１に汚泥１００が堆積することがある。汚泥排出機構１の制御ユニット７は、所定のタイミングで流体供給源６に他端部５２側に流体３００を所定時間の間供給させる。供給された流体３００は、図５に示すように、切れ目５４を通して汚泥生成ユニット２から汚泥回収ユニット３に向かうとともに、パイプ４の内面４１に向かう方向に噴射される。切れ目５４を通して噴射された流体３００は、内面４１に堆積した汚泥１００を流れ落して、汚泥回収ユニット３に導く。なお、実施形態１では、所定のタイミングとして、所定の枚数（例えば、３０枚）の切削ブレード２００を重ねて内外縁２０１，２０２を切削する毎に、制御ユニット７は、流体供給源６に他端部５２側に流体３００を所定時間の間供給させるが、流体３００を供給する所定のタイミングは、実施形態１に示すタイミングに限定されない。
【００２５】
実施形態１に係る汚泥排出機構１は、管５の切れ目５４からパイプ４の内面４１に向かって流体３００を噴出することで、パイプ４の内面４１への汚泥１００の滞留を抑制することができる。その結果、汚泥排出機構１は、汚泥１００の蓄積を抑制するための清掃作業の手間を抑制することができる。
【００２６】
また、汚泥排出機構１は、流体３００が汚泥生成ユニット２から汚泥回収ユニット３に向かう方向に流体３００が噴射される形に形成されているので、流体３００の噴出によってパイプ４の内面４１から剥がれた汚泥１００を汚泥回収ユニット３で回収することができる。
【００２７】
また、汚泥排出機構１は、流体３００が空気と水とを含んでいるので、パイプ４の内面４１から汚泥１００を剥がすことができる。
【００２８】
なお、本発明は、上記実施形態に限定されるものではない。即ち、本発明の骨子を逸脱しない範囲で種々変形して実施することができる。例えば、実施形態１では、汚泥１００として切削ブレード２００の内外縁２０１，２０２を切削した際に生成される切削屑を示しているが、本発明では、汚泥１００は、加工装置である図６に示す切削装置４００が被加工物４０１を切削した際に生成する切削屑又は加工装置である図７に示す研削装置５００が図示しない被加工物を研削した際に生成する研削屑でも良い。要するに、本発明では、汚泥１００は、各種の加工装置が加工を実施する際に生成する加工屑であるのが望ましい。図６は、図１に示された汚泥生成ユニットの変形例を示す斜視図であり、図７は、図１に示された汚泥生成ユニットの他の変形例を示す斜視図である。
【００２９】
また、実施形態１では、切れ目５４の形状を中央５５から両端部５６，５７に向かって直線状に形成しているが、本発明は、中央５５が両端部５６，５７よりも汚泥回収ユニット３寄りに位置すれば、切れ目５４−１，５４−２の形状を図８及び図９に示すように、種々変更しても良い。図８は、図４に示された管の変形例の平面図であり、図９は、図４に示された管の他の変形例の平面図である。なお、図８及び図９は、実施形態１と同一部分に同一符号を付して説明を省略する。図８に示す切れ目５４−１は、中央５５から両端部５６，５７に向かうにしたがって切れ目５４−１の外側に凸に湾曲しているとともに、図９に示す切れ目５４−２は、中央５５から両端部５６，５７に向かうにしたがって切れ目５４−２の内側に凸に湾曲している。
【符号の説明】
【００３０】
１  汚泥排出機構
２  汚泥生成ユニット
３  汚泥回収ユニット
４  パイプ
５  管
６  流体供給源
５３  表面
５４  切れ目
１００  汚泥
３００  流体
【図１】
2019130443.tif 000003
【図２】
2019130443.tif 000004
【図３】
2019130443.tif 000005
【図４】
2019130443.tif 000006
【図５】
2019130443.tif 000007
【図６】
2019130443.tif 000008
【図７】
2019130443.tif 000009
【図８】
2019130443.tif 000010
【図９】
2019130443.tif 000011